(57)【要約】【課題】弱視の被健診者に対しても目読可能なサイズの用紙に印字すること。【解決手段】被健診者毎の健診結果による遠視及び近点視力の眼科所見データ並びに年齢データとを含む健診結果データを格納する健診結果ＤＢ２０と、健診結果データを基に標準文字を用いて健診結果報告書を印字する結果報告書出力システム３０とを有する健診システム１０であって、結果報告書出力システム３０が、眼科所見データ等を取得する取得工程と、該眼科所見に遠視等の所見があるか否か判定する第１判定工程と、年齢データにより年齢が任意の年齢以上か否か判定する第２判定工程と、第１判定工程において遠視等の所見があるか第２判定工程において年齢が任意の年齢以上と判定したとき、前記健診結果データを基に標準文字サイズに比して拡大した大文字を用いて健診結果報告書を印字出力する大文字印字工程とを実行するもの。【選択図】図１
2008080031.tif 000002
【特許請求の範囲】
【請求項１】
被健診者毎の健診結果による遠視及び近点視力と眼科所見データ並びに年齢データとを含む健診結果データを格納する健診結果データベースと、該健診結果データベースに格納した健診結果データを基に標準文字サイズの文字を用いて健診結果報告書を印字出力する結果報告書出力システムとを有する健診システムであって、
前記結果報告書出力システムが、前記被健診者毎に前記眼科所見データと年齢データを取得する取得工程と、該眼科所見データに遠視又は近点視力との所見があるか否かを判定する第１判定工程と、前記年齢データにより年齢が任意の年齢以上か否かを判定する第２判定工程と、前記第１判定工程において遠視又は近点視力との所見があると判定したとき、又は前記第２判定工程において年齢が任意の年齢以上と判定したとき、前記健診結果データを基に前記標準文字サイズに比較して文字サイズを拡大した大文字の文字を用いて健診結果報告書を印字出力する大文字印字工程とを実行することを特徴とする健診システム。
【請求項２】
前記健診結果データベースが被健診者からの希望を基にした弱視用報告希望有無データを格納し、前記結果報告書出力システムが、該弱視用報告希望の有無データが「有」と判定したとき、前記大文字印字工程を実行することを特徴とする請求項１記載の健診システム。
【請求項３】
前記結果報告書出力システムが、前記大文字印字工程を実行するとき、前記標準文字サイズの文字を用いて健診結果報告書を印字出力するときの用紙サイズを標準サイズ文字を印字する際の用紙に比べて大きなサイズの用紙に変更する又は印字用紙枚数を標準サイズ文字を印字する際の用紙枚数に比べて増加する様に変更する変更処理工程を実行することを特徴とする請求項１又は２記載の健診システム。
【発明の詳細な説明】
【技術分野】
【０００１】
本発明は、健康診断（以下、健診と呼ぶ）の検査結果を印字出力する健診システムに係り、特に被健診者が健診結果を容易に目視にて確認することが容易な健診結果報告書を印字出力する健診システムに関する。
【背景技術】
【０００２】
一般に健康診断は、企業や地域の自治体等の管理下において、選定された医療機関が多数の被健診者に対して健診を行い、この健診項目や健診結果データをコンピュータにより管理される健診システムに入力し、該健診システムが各被健診者の健診結果を健診結果報告書として印字し、医療機関が前記健診結果報告書を各被健診者に対して通知することが行われている。
【０００３】
尚、前記健診のデータ管理を行う健診システムに関する技術が記載された文献としては、下記特許文献が挙げられる。
【特許文献１】特開２００６−１２７２６４
【特許文献２】特開２００６−１２００３８
【発明の開示】
【発明が解決しようとする課題】
【０００４】
従来技術による健診システムにより印字出力される健診結果報告書は、例えばＢ４サイズの用紙に所定の固定フォーマットに印字されたものであり、また検査項目が多岐に亘る際には多数の検査項目及び検査結果並びに標準検査結果値等の多数のデータを１枚の用紙に印字するため、例えば、老眼や弱視（以下、弱視と呼ぶ）の被健診者にとっては印字された文字が小さく、健診結果を読むことが困難であると言う不具合があった。
【０００５】
本発明の目的は、前述の従来技術による不具合を除去することであり、弱視の被健診者であっても健診結果を容易に目読可能なサイズの用紙に印字することができる健診システムを提供することである。
【課題を解決するための手段】
【０００６】
前記目的を達成するため本発明は、被健診者毎の健診結果による遠視及び近点視力、眼科所見データ並びに年齢データとを含む健診結果データを格納する健診結果データベースと、該健診結果データベースに格納した健診結果データを基に標準文字サイズの文字を用いて健診結果報告書を印字出力する結果報告書出力システムとを有する健診システムであって、前記結果報告書出力システムが、前記被健診者毎に前記眼科所見データと年齢データを取得する取得工程と、該眼科所見データに遠視又は近点視力結果、及び診断所見があるか否かを判定する第１判定工程と、前記年齢データにより年齢が任意の年齢以上か否かを判定する第２判定工程と、前記第１判定工程において遠視又は近点視力の低下、または診断時異常所見があると判定したとき、又は前記第２判定工程において年齢が任意の年齢以上と判定したとき、前記健診結果データを基に前記標準文字サイズに比較して文字サイズを拡大した大文字の文字を用いて健診結果報告書を印字出力する大文字印字工程とを実行することを第１の特徴とする。
【０００７】
また本発明は、前記健診システムにおいて、前記健診結果データベースが被健診者からの希望を基にした弱視用報告希望有無データを格納し、前記結果報告書出力システムが、該弱視用報告希望の有無データが「有」と判定したとき、前記大文字印字工程を実行することを第２の特徴とし、前記何れかの特徴の健診システムにおいて、前記結果報告書出力システムが、前記大文字印字工程を実行するとき、前記標準文字サイズの文字を用いて健診結果報告書を印字出力するときの用紙サイズを標準サイズ文字を印字する際の用紙に比べて大きなサイズの用紙に変更する又は印字用紙枚数を標準サイズ文字を印字する際の用紙枚数に比べて増加する様に変更する変更処理工程を実行することを第３の特徴とする。
【発明の効果】
【０００８】
本発明による健診システムは、結果報告書出力システムが、健診結果による被健診者の眼科に関するデータ及び所見を参照し、当該被健診者が老眼等の弱視であると判定したとき、健診結果報告書の文字を拡大した大文字で印字することによって、弱視の被健診者であっても健診結果を容易に目読可能な文字サイズの健診結果報告書を提供することができる。
【発明を実施するための最良の形態】
【０００９】
以下、本発明による健診システムの一実施形態を図面を参照して詳細に説明する。図１は本実施形態による健診システムの全体構成を示す図、図２は本実施形態による健診システムの動作を説明するための図、図３は本実施形態により印字出力される健診結果報告書の比較例を示す図、図４は本実施形態により受診情報の一例を説明するための図、図５は受診結果の第１の例を説明するための図、図６は受診結果の第２の例を説明するための図、図７は受診結果の第３の例を説明するための図である。
＜構成説明＞
【００１０】
本実施形態による健診システム１０は、図１に示す如く、健診結果データを格納する健診結果データベース２０と、該健診結果データベース２０から任意の検査項目や検査結果データを入力とし、所定のフォーマット変換を行ってプリンタ４０により健診結果報告書を出力する結果報告書出力システム３０と、前記健診結果データベース２０及び結果報告書出力システム３０を制御する制御部５０とから構成され、前記結果報告書出力システム３０は、前記健診結果データベース２０から入力した健診結果データを基に、後述する標準形式の健診結果報告書４２又は弱視用の健診結果報告書４１を選択的に出力する結果報告書出力機能３１を備える。
【００１１】
前記健診結果データベース２０に格納される健診結果データとしては、例えば、図４に示す如く、システムが設定したシステムＩＤ毎に「個人ＩＤ」「氏名」「性別」「生年月日」「受診日」「受診コース」「年齢」「所属団体」「住所」「電話番号」等の受診者の基礎データと、図５〜図７に示す受診結果データが挙げられ、該受診結果データは、システムＩＤ及び「受診日」毎に、「体重」「ＢＭＩ」他の検査項目と、その検査項目毎の検査結果（数値）と、図７に示す「総合判定」並びに血圧等の機能や身体部位毎の判定結果を例えばＡ〜Ｃの如くランク付け評価結果とが格納されている。
【００１２】
本実施形態による健診結果データベース２０は、特に図５に示す「眼科所見」において「遠視」「近視」「弱視」の各所見が格納されると共に、被健診者の希望によって「弱視用報告希望」の「有無」項目が格納される。尚、この「弱視用報告希望」は本願発明特有の項目である。
【００１３】
前記標準の健診結果報告書４２は、例えば、図３の左方に示す如く文字サイズが９ポイント相当の文字をＢ４用紙１枚に印字したものを、弱視用の結果報告書４１は、図３の右方に示す如く文字サイズが１２ポイント相当の文字Ａ３用紙２枚に印字したものであるが、これに限られるものではない。本実施形態による弱視用の診断結果報告書４１は、標準の診断結果報告書４２に印字される標準文字サイズに比して拡大した大文字の文字が選択されると共に、該文字サイズの診断結果の文字を所定（或いは弱視用に変換した）フォーマットに印字可能な用紙サイズ及び又は枚数が設定され、これに応じたフォーマット並びに枚数により印加されるものである。これら変換は、前述の結果報告書出力機能３１に予め設定された設定条件によって指定することができる。
＜動作説明＞
【００１４】
この様に構成された健診システム１０は、図２に示す如く、制御部５０が健診結果データベース２０から前述の健診結果データを取得する工程５１と、該取得した健診結果データを結果報告書出力システム３０に出力する工程５２と、この健診結果データを受診した結果報告書出力システム３０が結果報告書出力機能３１を用い、前記健診結果データの「弱視用報告希望」が「有」か否かを判定する工程５３と、該工程５３において「無」（ＮＯ）と判定したときに「眼科所見」に「遠視」が有るか否かを判定する工程５４と、該工程５４において「遠視」が「無」と判定したときに「近点視力」が「０．７以下」か否かを判定する工程５５と、該工程５５において「０．７以下」と判定したときに、「年齢」が「４６歳以上」か否かを判定する工程５６と、該工程５６において「４６歳以上」と判定したときに、標準の結果報告書４２を印刷する工程５７と、前記工程５３から５６において「ＹＥＳ」と判定されたときに、弱視用の結果報告書４１を印刷する工程５８とを順次実行する。
【００１５】
前記弱視用の結果報告書４１を印刷する工程５８は、印字する文字サイズを標準の文字サイズに比べて大文字（例えば９ポイント文字を１２ポイント文字に拡大）に設定すると共に、該大文字の文字サイズにより用紙種類（Ｂ４をＡ３）及び又は枚数（１枚を２枚）を変更して診断結果報告書４１を印字するものであって、用紙サイズ並びに枚数は管理者によって任意に選択することがでる。例えば、標準でＢ３サイズ１枚の報告書を、Ａ３サイズ１枚に印字することや、Ａ４サイズ２枚に印字することを結果報告書出力機能３１に予め設定することができる。
【００１６】
この様に本実施形態による健診システムは、健診結果データに含まれる眼科に関する検査結果（数値又は所見）並びに被健診者の希望有無を検索し、該検査結果により拡大文字を用いて印字を行う必要があるか否かを判定し、該判定結果に応じて拡大文字により診断結果報告書を自動的に印刷するため、弱視の被健診者であっても健診結果を容易に目読可能な文字サイズの健診結果報告書を提供することができる。
【図面の簡単な説明】
【００１７】
【図１】本発明の一実施形態による健診システムの全体構成を示す図。
【図２】本実施形態による健診システムの動作を説明するための図。
【図３】本実施形態による健診結果報告書の比較例を示す図。
【図４】本実施形態により受診情報の一例を説明するための図。
【図５】受診結果の第１の例を説明するための図。
【図６】受診結果の第２の例を説明するための図。
【図７】受診結果の第３の例を説明するための図。
【符号の説明】
【００１８】
１０：健診システム、２０：健診結果データベース、３０：結果報告書出力システム、３１：結果報告書出力機能、４０：プリンタ、４１：健診結果報告書（弱視用）、４２：健診結果報告書（標準用）、５０：制御部。
【図１】
2008080031.tif 000003
【図２】
2008080031.tif 000004
【図３】
2008080031.tif 000005
【図４】
2008080031.tif 000006
【図５】
2008080031.tif 000007
【図６】
2008080031.tif 000008
【図７】
2008080031.tif 000009